(57)【要約】【課題】接続されるテレビジョンの解像度に適した画面サイズで処理を行い、高画質で表示するインターネットセットトップボックスの映像出力装置を提供することを目的とする。【解決手段】インターネットセットトップボックスの映像出力装置において、画面サイズの設定を行う解像度設定機と、前記解像度設定機にて指定された解像度で画像データ処理を行う画像データ処理部と、前記画像データ処理部の出力を適切な解像度に変換する解像度変換機と、各構成要素の動作を制御する制御機を備えたことにより、接続されるテレビジョンの解像度に応じて、適切な画質または画面サイズで表示することが可能となる。【選択図】図１
2007306095.tif 000002
【特許請求の範囲】
【請求項１】
インターネットに接続して情報を受信し、受信された情報を表示する為のインターネットセットトップボックスの映像出力装置において、画面サイズの設定を行う解像度設定機と、
前記解像度設定機にて指定された解像度で画像データ処理を行う画像データ処理部と、
前記画像データ処理部の出力を適切な解像度に変換する解像度変換機と、
各構成要素の動作を制御する制御機と、
を備えたインターネットセットトップボックスの映像出力装置。
【請求項２】
解像度設定機は、接続されるテレビジョンの解像度に応じて画面サイズを適応的に設定することを特徴とする請求項１記載のインターネットセットトップボックスの映像出力装置。
【請求項３】
解像度設定機は、接続されるテレビジョンの解像度に関係なく画面サイズを一律的に設定することを特徴とする請求項１記載のインターネットセットトップボックスの映像出力装置。
【請求項４】
解像度変換機は、接続されるテレビジョンの解像度に応じて適切な解像度に変換することを特徴とする請求項１記載のインターネットセットトップボックスの映像出力装置。
【発明の詳細な説明】
【技術分野】
【０００１】
本発明は、インターネットに接続してウェブページを表示する場合に、様々な解像度のテレビジョンへ接続されるインターネットセットトップボックスの映像出力装置に関するものである。
【背景技術】
【０００２】
インターネットは急速に、家庭および企業のパーソナル・コンピュータのユーザ用の重要な情報・電子通信源になりつつある。インターネット上の大部分の情報は、ＷＷＷと呼ばれるネットワーク上で得ることができる。ＷＷＷとは、インターネットによって論理的に接続された世界中の多数のコンピュータ上に配置されたフォーマットされたハイパーテキスト・ページの集合である。最近まで、家庭環境からインターネットおよびＷＷＷへのアクセスはパーソナル・コンピュータまたはネットワーク・コンピュータのユーザに限られていた。しかし、ネットワーク技術の最近の進歩によって、パーソナル・コンピュータではなく標準テレビジョンを通じてインターネットおよびＷＷＷにアクセスできるようになった。その中で代表的なものがいわゆる“インターネットセットトップボックス”といわれるもので、これは上記インターネットに接続する為のソフトウェア及びハードウェアと、インターネットから転送された多様な情報を表示する為のソフトウェア及びハードウェアを備えたインターネット接続装置である。
【０００３】
以下に従来のインターネットセットトップボックスの映像出力装置について説明する。
【０００４】
従来、インターネットセットトップボックスの映像出力装置は特許文献１乃至特許文献３等に記載されたものが知られている。
【０００５】
図５は従来のインターネットセットトップボックスの構成を示すブロック図を示すものである。図５において、８は従来のインターネットセットトップボックスの出力装置、２はインターネット、３はインターネットセットトップボックスが接続されるテレビジョン、５はインターネット２から得られた画像データを処理してテレビジョン３に出力する画像データ処理部、７は画像データ処理部５の制御を行う制御機である。
【０００６】
以上のように構成された従来のインターネットセットトップボックスの映像出力装置について、以下その動作について説明する。まず、従来のインターネットセットトップボックスの多くは、通常の解像度を持つ標準テレビジョンへの接続が前提とされていた。従って、画像データ処理部５では解像度は低く設定されており画面サイズは小さいものとなっていた。一方、近年、高解像度テレビジョンが普及してきているが、これら高解像度テレビジョンへの接続を考慮すると、解像度を高く設定し画面サイズを大きくすることで高画質でより多くの情報を表示することが可能となる。
【特許文献１】特開２００２−２０４４６５号公報
【特許文献２】特開平１０−１７７３７２号公報
【特許文献３】特開平１１−３４４９６８号公報
【発明の開示】
【発明が解決しようとする課題】
【０００７】
しかしながら上記の従来の構成では、インターネットセットトップボックスの画面サイズを映像出力の解像度と同じ大きさに固定化していたので、高解像度テレビジョンに接続することを想定して解像度を設定すると、標準テレビジョンへ接続した場合には解像度変換により解像度が落ちてしまい、画面に含まれた小さい文字等が判別できなくなってしまうという問題点を有していた。
【０００８】
本発明は上記従来の問題点を解決するもので、接続されるテレビジョンの解像度に適した画面サイズで処理を行い、高画質で表示するインターネットセットトップボックスの映像出力装置を提供することを目的とする。
【課題を解決するための手段】
【０００９】
この目的を達成するために本発明のインターネットセットトップボックスの映像出力装置は、インターネットに接続して情報を受信し、受信された情報を表示する為のインターネットセットトップボックスの映像出力装置において、画面サイズの設定を行う解像度設定機と、解像度設定機にて指定された解像度で画像データ処理を行う画像データ処理部と、画像データ処理部の出力を適切な解像度に変換する解像度変換機と、各構成要素の動作を制御する制御機とを備えた構成を有している。
【００１０】
この構成によって、接続されるテレビジョンの解像度に適した画面サイズで処理を行い、高画質で表示するインターネットセットトップボックスの映像出力装置が得られる。
【発明の効果】
【００１１】
以上のように本発明は、インターネットセットトップボックスの映像出力において、接続されるテレビジョンの解像度に応じて適切な大きさで表示でき、画面に含まれた文字等が容易に判別できるという優れた効果が得られる。また、接続されるテレビジョンの解像度に関係なく同じ領域を表示でき、表示イメージがテレビジョンの解像度に依存しないようにすることができるという優れた効果が得られる。
【発明を実施するための最良の形態】
【００１２】
本発明の請求項１に記載の発明は、インターネットに接続して情報を受信し、受信された情報を表示する為のインターネットセットトップボックスの映像出力装置において、画面サイズの設定を行う解像度設定機と、解像度設定機にて指定された解像度で画像データ処理を行う画像データ処理部と、画像データ処理部の出力を適切な解像度に変換する解像度変換機と、各構成要素の動作を制御する制御機とを備え、接続されるテレビジョンの解像度に応じて適切な画面サイズを設定し映像出力を行うことにより、接続されるテレビジョンの解像度に応じて適切な画質で表示ができるという作用を有する。
【００１３】
請求項２に記載の発明は、解像度設定機は、接続されるテレビジョンの解像度に応じて画面サイズを適応的に設定することを特徴としたものであり、テレビジョンの解像度に適した画面サイズで表示することにより、表示画質を向上させ画面に含まれた文字等が判別できるという作用を有する。
【００１４】
請求項３に記載の発明は、解像度設定機は、接続されるテレビジョンの解像度に関係なく画面サイズを一律的に設定することを特徴としたものであり、テレビジョンの解像度に関係なく画面サイズを設定することにより、どのようなテレビジョンでも同じ領域の情報が表示できるという作用を有する。
【００１５】
請求項４に記載の発明は、解像度変換機は、接続されるテレビジョンの解像度に応じて適切な解像度に変換することを特徴としたものであり、テレビジョンの解像度に応じた映像出力を行うことにより、解像度の異なる様々なテレビジョンへの接続が可能となるという作用を有する。
【００１６】
以下、本発明の実施の形態について、図１から図４を用いて説明する。
（実施の形態１）
図１は本発明の実施の形態１におけるインターネットセットトップボックスの映像出力装置の構成を示すブロック図である。図１において、１はインターネットセットトップボックスの映像出力装置、２はインターネット、３は接続されるテレビジョン、４は画面サイズの設定を行う解像度設定機、５は解像度設定機にて指定された解像度で画像データ処理を行う画像データ処理部、６は画像データ処理部から出力された画像データを接続されるテレビジョンの解像度に変換する解像度変換機、７はユーザの操作及び接続されるテレビジョンの解像度に応じて解像度設定機４、画像データ処理部５、及び解像度変換機６の制御を行う制御機である。
【００１７】
以上のように構成されたインターネットセットトップボックスの映像出力装置について、図２および図３を用いてその動作を説明する。まず、図２は、高解像度テレビジョンに接続される場合の動作を示している。この場合、制御機７は解像度設定機４に対し１９２０×１０８０ピクセルの画面サイズを設定する。一方、図３は、標準テレビジョンに接続される場合の動作を示している。この場合、制御機７は解像度設定機４に対し７２０×４８０ピクセルの画面サイズを設定する。ここで、画像データ処理部５から出力される画像データの解像度は、解像度設定機４で指定された解像度となる。いずれの場合においても、制御機７は解像度変換機６を制御し、解像度変換機６から出力される画像データの解像度が接続されるテレビジョンの解像度になるように変換する。
【００１８】
以上のように本実施の形態１によれば、接続されるテレビジョンの解像度に応じて画面サイズを適応的に設定することにより、接続されるテレビジョンの解像度に応じて適切な画質で表示することができる。
（実施の形態２）
図２および図４を用いて本発明の実施の形態２の動作を説明する。まず、図２は高解像度テレビジョンに接続される場合の動作を示している。また、図４は標準テレビジョンに接続される場合の動作を示している。いずれの場合にも、制御機７は解像度設定機４に対し一律的に１９２０×１０８０ピクセルの画面サイズを設定する。この場合、画像データ処理部５から出力される画像データの解像度は、常に１９２０×１０８０ピクセルである。そして、制御機７は解像度変換機６を制御して、接続されるテレビジョンの解像度に応じた解像度に変換するものである。
【００１９】
以上のように本実施の形態２によれば、接続されるテレビジョンの解像度に関係なく一律的に画面サイズを設定することにより、どのようなテレビジョンでも同じ領域を表示することができ、表示イメージがテレビジョンの解像度に依存しないようにすることができる。
【００２０】
なお、以上の説明では高解像度テレビジョンの画面サイズを１９２０×１０８０ピクセル、また、標準テレビジョンの画面サイズを７２０×４８０ピクセルとしたが、これに限られることなく多様な変更が、本発明の範囲から逸脱することなく実施可能である。
【産業上の利用可能性】
【００２１】
本発明のインターネットセットトップボックスの映像出力装置は、インターネットセットトップボックスの映像出力において、接続されるテレビジョンの解像度に応じて適切な大きさで表示でき、画面に含まれた文字等が容易に判別できる、また、接続されるテレビジョンの解像度に関係なく同じ領域を表示でき、表示イメージがテレビジョンの解像度に依存しないようにすることができるという優れた効果を有しているため、インターネットセットトップボックスの映像出力装置等において有用である。
【図面の簡単な説明】
【００２２】
【図１】本発明の実施の形態１におけるインターネットセットトップボックスの映像出力装置の構成を示すブロック図
【図２】同実施の形態１における映像出力装置の動作説明のための図
【図３】同実施の形態１における映像出力装置の動作説明のための図
【図４】同実施の形態２における映像出力装置の動作説明のための図
【図５】従来のインターネットセットトップボックスの映像出力装置の構成を示すブロック図
【符号の説明】
【００２３】
１    インターネットセットトップボックスの映像出力装置
２    インターネット
３    テレビジョン
４    解像度設定機
５    画像データ処理部
６    解像度変換機
７    制御機
【図１】
2007306095.tif 000003
【図２】
2007306095.tif 000004
【図３】
2007306095.tif 000005
【図４】
2007306095.tif 000006
【図５】
2007306095.tif 000007